(57)【要約】【課題】携帯端末が通話中に公衆網エリアから圏外になった場合、圏外による通話断にならないように自営無線ＬＡＮ網に切り替えて通話を継続させる。【解決手段】携帯端末が公衆網エリアの圏外を検知したら、自端末の設定情報を自端末とペアリングする自営無線ＬＡＮ基地局に送信し、無線端末の圏外情報を受信したＩＰ−ＰＢＸは、相手端末と携帯端末に対してＩＰアドレス発信し、通話を確立した後、相手端末と携帯端末の通話路を切り替え、通話を継続し、切替前の公衆網での通話は、切断する。【選択図】  図１
2018170551.tif 000002
【特許請求の範囲】
【請求項１】
ＩＰ網を介して制御するＩＰ−ＰＢＸと自営無線ＬＡＮ基地局に連動する携帯端末であって、前記携帯端末は、自営無線ＬＡＮ網に無線で接続する機能と公衆無線網に接続する機能と前記ＩＰ網に接続される無線ＬＡＮ基地局へ前記携帯端末の情報を送信して接続状態とＩＰアドレスを関連付ける機能を有し、前記携帯端末であって、相手端末へＩＰアドレス直接発信するＩＰアドレス直接発信制御手段を有し、公衆網と自営無線ＬＡＮ網を介したIPアドレス直接発信を同時に行うことを特徴とするペアリング機能を有する携帯端末。
【請求項２】
請求項１の携帯端末であって、前記自営無線ＬＡＮ網内で無線通信を行っている時に携帯端末が当該公衆網の圏外に出てしまった場合に前記公衆無線網を介した通話からの発信時にその発信による着信を前記公衆無線網からの一般着信か、前記携帯端末からの圏内通話の継続を求める着信かを識別し、前記圏内通話の継続を求める着信の場合に当該着信に対する自動発信を行うことで相手端末に前記携帯端末とのパスを前記自営無線ＬＡＮ網を利用して切替させることを特徴とするペアリング機能を有する携帯端末。
【請求項３】
請求項１の携帯端末であって、ＩＰアドレス直接発信による相手端末への発呼に対し、相手端末がキャッチホン等の保留応答した場合に公衆網での通話に対して、音声メッセージまたは、メールによる通話の継続をアナウンスで知らせるペアリング機能を有する携帯端末。
【発明の詳細な説明】
【技術分野】
【０００１】
本発明は移動通信システム、携帯端末及びそれらに用いる圏外移動時における通話保持方法に関し、特に自営無線網及び公衆無線網各々による通話が可能な携帯端末の圏外移動時における通話保持に関する。
【背景技術】
【０００２】
携帯端末としては、例えば、公衆(キャリアが提供する通信サービス）網と、通信システムとして構成されている自営無線ＬＡＮ網とにそれぞれ対応可能なデュアルモード端末がある。事業所内で自営無線ＬＡＮ網を構築しようとした場合、携帯端末における通話を保持したままでの移動を可能とするためには、事業所内の大部分に自営無線網の基地局を多数配置しなければならず、全ての事業所内のエリアを圏内にするためには、莫大なコストが必要になる。例えば、企業等が業務のために自営無線ＬＡＮ網の構築する場合には、通信機器の整備等で莫大な投資が必要となるという問題がある。
【先行技術文献】
【特許文献】
【０００３】
【特許文献１】特開２００８−６０７４９号公報
【発明の概要】
【発明が解決しようとする課題】
【０００４】
従来、携帯端末においては、自端末が、通信事業者の基地局に直接接続する公衆モードと、コードレス電話の子機として使用される自営モードとが採用されている。
【０００５】
特許文献１には、携帯端末の通話において、公衆網と自営無線ＬＡＮ網の両方との接続が可能な携帯端末を網の圏外を判断したら公衆モードと、自営モードの切り替えを行いつつ通話を継続させる技術が記載されている。しかしながら、上述した従来の端末間の通信経路が変化したとしても、端末間で通話を継続できる移動通信システムでは、公衆モードから、自営モードに切り替える際の通話路切替の手段が明確になっておらず、システムとしての改善が望まれる。また、両方の網が圏内である場合、どちらを優先的に選択するかの条件が不明で電波の環境が良いこと、通信費が安い網などの条件で判断できない問題がある。
【課題を解決するための手段】
【０００６】
上記課題を解決するため、本発明に係る通信システムは、ＩＰ網を介して制御するＩＰ−ＰＢＸと自営無線ＬＡＮ基地局に連動する携帯端末であって、前記携帯端末は、自営無線ＬＡＮ網に無線で接続する機能と公衆無線網に接続する機能と前記ＩＰ網に接続される無線ＬＡＮ基地局へ前記携帯端末の情報を送信して接続状態とＩＰアドレスを関連付ける機能を有し、前記携帯端末であって、相手端末へＩＰアドレス直接発信するＩＰアドレス直接発信制御手段を有し、公衆網と自営無線ＬＡＮ網を介したIPアドレス直接発信を同時に行うことを特徴とする。
【発明の効果】
【０００７】
本発明は、構成及び動作とすることで、公衆網から自営無線ＬＡＮ網に変化したとしても、網の変化による通話切れや利用者に再発信操作をさせることなく、通話を継続でき、利用者の公衆網の費用低減につながる。
【図面の簡単な説明】
【０００８】
【図１】本発明の一実施の形態に係る移動通信システムの構成例を示すブロック構成図である。
【図２】本発明の一実施の形態に係る無線端末１−１のフローチャート図である。
【図３】本発明の一実施の形態に係る無線端末３−１のブロック図である。
【発明を実施するための形態】
【０００９】
以下、本発明の実施形態について説明する。図１は、本発明の一実施の形態に係る通信システムのブロック構成図である。
【００１０】
本発明による第１の携帯端末は、携帯端末と、ＩＰ網を介して前記携帯端末を制御するＩＰ−ＰＢＸと、自営無線ＬＡＮ網に無線で接続する機能と公衆無線網に接続する機能と前記ＩＰ網及び前記自営無線ＬＡＮ網各々との接続状態を保持・識別する機能とを含む無線端末とから構成される通信システムであって、
前記公衆網エリア内で無線通信を行っている携帯端末が当該公衆網エリアの圏外に出てしまった場合に前記無線端末から相手端末に対して前記公衆無線網を介して前記携帯端末にＩＰアドレス発信し、
前記相手端末が、前記着信を、前記公衆無線網からの一般着信か、前記ＩＰ−ＰＢＸからの圏内通話の継続を求める着信かを識別し、
前記圏内通話の継続を求める着信の場合に前記携帯端末と前記相手端末との登録情報を介して前記自営無線ＬＡＮ網を利用して張り替えている。
【００１１】
本発明による第１の移動端末は、ＩＰ端末と、ＩＰ網を介して前記ＩＰ端末を制御するＩＰ−ＰＢＸともに移動通信システムを構成し、自営ＩＰ網に無線で接続する機能と公衆無線網に接続する機能と前記ＩＰ網及び前記自営ＩＰ網各々との接続状態を保持・識別する機能とを含む移動端末であって、  前記ＩＰ網内で無線通信を行っている時に自端末が当該ＩＰ網の圏外に出てしまった場合に前記公衆無線網を介した前記ＩＰ−ＰＢＸからの発信時にその発信による着信を前記公衆無線網からの一般着信か、前記ＩＰ−ＰＢＸからの圏内通話の継続を求める着信かを識別し、前記圏内通話の継続を求める着信の場合に当該着信に対する自動応答を返すことで前記ＩＰ−ＰＢＸに自端末と前記ＩＰ端末とのパスを前記公衆無線網を利用して張り替えさせている。
【００１２】
本発明による第２の携帯端末は、相手端末と、公衆網を介して前記ＩＰ端末を制御するＩＰ−ＰＢＸともに移動通信システムを構成し、自営無線ＬＡＮ網に無線で接続する機能と公衆無線網に接続する機能と前記公衆網及び前記自営無線ＬＡＮ網各々との接続状態を保持・識別する機能とを含む携帯端末であって、前記公衆無線網からの着信を前記公衆無線網からの一般着信か、前記ＩＰ−ＰＢＸからの圏内通話の継続を求める着信かを識別する手段と、前記圏内通話の継続を求める着信の場合に自動応答を返す手段とを備え、
当該自動応答を返すことで前記ＩＰ−ＰＢＸに携帯端末と相手端末とのパスを前記公衆無線網を利用して張り替えさせている。
【００１３】
本発明による第１の移動端末の圏外移動時における通話保持方法は、ＩＰ端末と、ＩＰ網を介して前記ＩＰ端末を制御するＩＰ−ＰＢＸと、自営ＩＰ網に無線で接続する機能と公衆無線網に接続する機能と前記ＩＰ網及び前記自営ＩＰ網各々との接続状態を保持・識別する機能とを含む移動端末とから構成される移動通信システムに用いる前記移動端末の圏外移動時における通話保持方法であって、
前記ＩＰ網内で無線通信を行っている移動端末が当該ＩＰ網の圏外に出てしまった場合に前記ＩＰ−ＰＢＸから前記公衆無線網を介して前記移動端末に発信し、
前記移動端末が、前記公衆無線網からの着信を、前記公衆無線網からの一般着信か、前記ＩＰ−ＰＢＸからの圏内通話の継続を求める着信かを識別し、
前記圏内通話の継続を求める着信の場合に前記移動端末と前記ＩＰ端末とのパスを前記公衆無線網を利用して張り替えている。
【００１４】
本発明による第２の移動端末の圏外移動時における通話保持方法は、ＩＰ（端末と、ＩＰ網を介して前記ＩＰ端末を制御するＩＰ−ＰＢＸと、自営ＩＰ網に無線で接続する機能と公衆無線網に接続する機能と前記ＩＰ網及び前記自営ＩＰ網各々との接続状態を保持・識別する機能とを含む移動端末とから構成される移動通信システムに用いる前記移動端末の圏外移動時における通話保持方法であって、
前記ＩＰ−ＰＢＸが、前記ＩＰ網内で無線通信を行っている移動端末が当該ＩＰ網の圏外に出てしまった場合に前記公衆無線網を介して前記移動端末に発信する処理と、前記公衆無線網から前記移動端末への着信が圏内通話の継続を求める着信の場合に前記移動端末と前記ＩＰ端末とのパスを前記公衆無線網を利用して張り替える処理とを実行している。
【００１５】
すなわち、本発明の携帯端末は、自営無線ＬＡＮ網に無線で接続する機能とを有すると同時に、公衆網にも接続する機能を有し、自営無線ＬＡＮ網各々との接続状態を保持・識別する機能を有するデュアルモード端末である。
【００１６】
さらに、それぞれのブロック構成について説明する。携帯端末１は、端末制御部３０１、公衆網無線通信部３０２、自営網無線ＬＡＮ通信部３０３、自動応答部３０４、無線切替対応部３０５、情報記憶部３０６、表示部３０７、ボタン３０８から構成される。なお、携帯端末１は、一般的なスマートフォン、タブレットやＰＨＳの一般的な携帯電話を示す。
【００１７】
公衆網無線通信部３０２及び自営網無線ＬＡＮ通信部３０３は、無線通信時、常に電波の受信レベルを端末制御部３０１に通知する機能を持つ。また、公衆網無線通信部３０２及び自営網無線ＬＡＮ通信部３０３は個別に通信を行うことができる。
【００１８】
無線切替対応部３０５は、通信できない状況の無線を検出し、切り替える特徴を持つ。
【００１９】
情報記憶部３０６は、電話番号、ＩＰアドレスおよび電話帳の携帯端末の情報を記憶する部分である。
【００２０】
表示部３０７は、発着信履歴や本端末の設定に係る情報を含め、文字や図形による各種情報を表示する手段であり、例えば、液晶ディスプレイ，ＥＬ（Ｅｌｅｃｔｒｏ  Ｌｕｍｉｎｅｓｃｅｎｃｅ）ディスプレイ等である。
【００２１】
ボタン３０８は、一般的な電話に備わっているもの相当である。
【００２２】
携帯端末の情報記憶部には、自営無線ＬＡＮ網で用いる端末のＩＰアドレスと、公衆網で用いる端末の公衆番号を保持している。
【００２３】
本発明は、上記のような構成及び動作とすることで、端末間の通信経路が変化したとしても、端末間で通話を継続できるという効果が得られる。
【００２４】
次に、本発明の実施例について図面を参照して説明する。図１は本発明の一実施例による携帯端末を運用するための構成例を示すブロック図である。図１において、ＩＰ−ＰＢＸ１００と、自営無線ＬＡＮ基地局１１と、ＩＰ端末１３と、ＩＰＧＷ２２とがＩＰ網２００を介して接続して構成されている。
【００２５】
また、ＩＰ網２００はＩＰＧＷ２３を介してネットワーク４００を接続している。ネットワーク４００内には公無線ＬＡＮ基地局1（公衆）２３と相手端末２４とが存在している。
【００２６】
公衆エリア４０１は公無線ＬＡＮ基地局1（公衆）２３がカバーしているエリアであり、自営無線ＬＡＮ網エリア４０２は自営無線ＬＡＮ基地局１１がカバーしているエリアである。携帯端末１は公衆エリア４０１において公無線ＬＡＮ基地局1（公衆）２３で制御され、自営無線ＬＡＮ網エリア４０２においてＩＰ−ＰＢＸ１０にて制御されている。
【００２７】
図３は図２の携帯端末１のフローチャートである。
【００２８】
本フローは、携帯端末１の電源が投入され、操作待ちの状態からスタートする（Ｓ３００）。
【００２９】
携帯端末１は、公衆網に接続して通話中か否か（Ｓ３０１）を待ち受け、これを待機状態とする。
【００３０】
携帯端末１は、公衆網無線通知部が無線の圏外を検知したならば（Ｓ３０２，ＹＥＳ）、自営無線ＬＡＮ網の圏内か否かを確認し、接続可能であれば（Ｓ３０３，ＹＥＳ）、自営無線ＬＡＮ基地局１１とペアリングを行う（Ｓ３０４）。
【００３１】
携帯端末１は、自営無線ＬＡＮ基地局１１とぺアリングを行う際にＩＰアドレスを付与される（Ｓ３０５，ＹＥＳ）。
【００３２】
携帯端末１は、ペアリングされた自営無線ＬＡＮ基地局１１を介して、自端末の公衆網の電話番号、相手端末のＩＰアドレス情報をＩＰ−ＰＢＸ１００に送信する（Ｓ３０６）。
【００３３】
携帯端末１は、相手端末に対してＩＰアドレス発信を行う（Ｓ３０７）。相手端末がキャッチホン等の保留応答したら（Ｓ３０８，ＹＥＳ）、音声メッセージまたはメールで通話の継続をアナウンスで知らせる（Ｓ３０９）。通話路を切り替えた後（Ｓ３１０，ＹＥＳ）、携帯端末１は、公衆網で接続されている通話を切断することを相手端末に音声メッセージで送信し（Ｓ３１１）、公衆網での通話を切断する（Ｓ３１２）。
【００３４】
以上、本発明の実施形態について説明した。なお、本実施形態において、通信システムと携帯端末を例に説明したが、本発明はこれに限定されない。例えば、複数の呼制御を束ねる呼制御サーバを設けてもよい。その場合、呼制御サーバは携帯端末各々の端末情報を管理し、圏外および圏内情報を受信した無線端末を端末状態に応じて決定するようにしても良い。
【符号の説明】
【００３５】
１１  無線ＬＡＮ基地局
１２  端末１
１３  ＩＰ端末２
２１  ＩＰ端末１
２２  ＩＰＧＷ
２３  無線ＬＡＮ基地局１（公衆）
２４  相手端末
３１  携帯端末１
３２  公衆無線基地局
１００  ＩＰ−ＰＢＸ
２００  ＩＰ網
３０１  端末制御部
３０２  公衆網無線通信部
３０３  自営網無線ＬＡＮ通信部
３０４  自動応答部
３０５  無線切替対応部
３０６  情報記憶部
３０７  圏外検知部
３０８  表示部
３０９  ボタン
４００  ネットワーク
４０１  公衆網エリア
【図１】
2018170551.tif 000003
【図２】
2018170551.tif 000004
【図３】
2018170551.tif 000005